(57)【要約】      （修正有）【課題】鞄の取手部の意匠性を維持しつつ重量物を持ち運ぶ際に取手部を把持する手に過度な負担が付与されてしまうのを抑制することができる補助グリップを提供する。【解決手段】ゴム又は樹脂等の軟質材料から成るとともに、一端から他端までスリットが形成されて当該スリットを介して鞄Ｋの取手部Ｋａの外周に巻かれて取付可能な筒状の把持部材１と、把持部材１に固定されて当該把持部材１を鞄Ｋの取手部Ｋａに取り付けて吊下げ可能とする取付部材２とを具備し、把持部材１が取付部材２を介して鞄Ｋの取手部Ｋａから吊下げられた取外し状態と、鞄Ｋの取手部Ｋａの外周に巻かれて取り付けられた取付け状態との何れも可能な構造とされたものである。【選択図】図５
0003155857.tif 000002
【実用新案登録請求の範囲】
【請求項１】
鞄の取手部に取付可能な把持部材と、
該把持部材に固定されて当該把持部材を前記鞄の取手部に取り付けて吊下げ可能とする取付部材と、
を具備し、前記把持部材が前記取付部材を介して前記鞄の取手部から吊下げられた取外し状態と、前記鞄の取手部に取り付けられた取付け状態との何れも可能な構造とされたことを特徴とする補助グリップ。
【請求項２】
前記把持部材は、ゴム又は樹脂等の軟質材料から成るとともに、一端から他端までスリットが形成されて当該スリットを介して鞄の取手部の外周に巻かれて取付可能な筒状部材で構成されたことを特徴とする請求項１記載の補助グリップ。
【請求項３】
前記把持部材は、その外表面に所望の意匠が施されたことを特徴とする請求項１又は請求項２記載の補助グリップ。
【請求項４】
前記把持部材は、その外表面に滑り止め加工が施されたことを特徴とする請求項１〜３の何れか１つに記載の補助グリップ。
【請求項５】
前記取付部材は、一部が開閉可能な環状の金具から成り、その一部が開状態とされて前記鞄の取手部に取り付け可能とされたことを特徴とする請求項１〜４の何れか１つに記載の補助グリップ。
【請求項６】
前記取付部材は、可撓性を有した環状の紐状部材から成り、前記鞄の取手部に取り付け可能とされたことを特徴とする請求項１〜４の何れか１つに記載の補助グリップ。
【考案の詳細な説明】
【技術分野】
【０００１】
本考案は、把持部材が取付部材を介して鞄の取手部から吊下げられた取外し状態と、鞄の取手部に取り付けられた取付け状態との何れも可能とされた補助グリップに関するものである。
【背景技術】
【０００２】
ハンドバッグやショルダーバッグ等の鞄には、通常、持ち運び時に把持するためのループ状の取手部が形成されており、当該取手部を手で握って鞄を持つことができるようになっている。然るに、鞄内の荷物が重い場合、取手部を握る手に大きな荷重が付与されて当該取手部が手に食い込んでしまう等の不具合があることから、従来より、取手部の握り部自体を柔らかい材料で構成したものが提案されるに至っている。尚、かかる先行技術は、文献公知発明に係るものでないため、記載すべき先行技術文献情報はない。
【考案の概要】
【考案が解決しようとする課題】
【０００３】
しかしながら、上記従来の鞄においては、取手部の握り部自体を柔らかい材料で構成しているものの、鞄内に軽い荷物が収容されている場合は取手部が手に食い込む虞がないので不要である一方、柔らかい材料で構成された握り部が鞄全体の意匠性を損ねてしまう虞があった。特に、女性が普段から持ち歩く女性用の鞄においては、その意匠性が重視される一方、思い荷物を持ち運ぶ際の上記不具合が生じ易いことから、意匠性を維持しつつ当該不具合を解決することが求められている。
【０００４】
本考案は、このような事情に鑑みてなされたもので、鞄の取手部の意匠性を維持しつつ重量物を持ち運ぶ際に取手部を把持する手に過度な負担が付与されてしまうのを抑制することができる補助グリップを提供することにある。
【課題を解決するための手段】
【０００５】
請求項１記載の考案は、鞄の取手部に取付可能な把持部材と、該把持部材に固定されて当該把持部材を前記鞄の取手部に取り付けて吊下げ可能とする取付部材とを具備し、前記把持部材が前記取付部材を介して前記鞄の取手部から吊下げられた取外し状態と、前記鞄の取手部に取り付けられた取付け状態との何れも可能な構造とされたことを特徴とする。
【０００６】
請求項２記載の考案は、請求項１記載の補助グリップにおいて、前記把持部材は、ゴム又は樹脂等の軟質材料から成るとともに、一端から他端までスリットが形成されて当該スリットを介して鞄の取手部の外周に巻かれて取付可能な筒状部材で構成されたことを特徴とする。
【０００７】
請求項３記載の考案は、請求項１又は請求項２記載の補助グリップにおいて、前記把持部材は、その外表面に所望の意匠が施されたことを特徴とする。
【０００８】
請求項４記載の考案は、請求項１〜３の何れか１つに記載の補助グリップにおいて、前記把持部材は、その外表面に滑り止め加工が施されたことを特徴とする。
【０００９】
請求項５記載の考案は、請求項１〜４の何れか１つに記載の補助グリップにおいて、前記取付部材は、一部が開閉可能な環状の金具から成り、その一部が開状態とされて前記鞄の取手部に取り付け可能とされたことを特徴とする。
【００１０】
請求項６記載の考案は、請求項１〜４の何れか１つに記載の補助グリップにおいて、前記取付部材は、可撓性を有した環状の紐状部材から成り、前記鞄の取手部に取り付け可能とされたことを特徴とする。
【考案の効果】
【００１１】
請求項１の考案によれば、把持部材が取付部材を介して鞄の取手部から吊下げられた取外し状態と、鞄の取手部に取り付けられた取付け状態との何れも可能な構造とされたので、鞄内に軽量な荷物を収容する場合に取外し状態とする一方、鞄内に重い荷物を収容する場合に取付け状態とすることにより、鞄の取手部の意匠性を維持しつつ重量物を持ち運ぶ際に取手部を把持する手に過度な負担が付与されてしまうのを抑制することができる。
【００１２】
請求項２の考案によれば、把持部材は、ゴム又は樹脂等の軟質材料から成るとともに、一端から他端までスリットが形成されて当該スリットを介して鞄の取手部の外周に巻かれて取付可能な筒状部材で構成されたので、重量物を持ち運ぶ際に取手部を把持する手に過度な負担が付与されてしまうのをより確実に抑制することができる。
【００１３】
請求項３の考案によれば、把持部材は、その外表面に所望の意匠が施されたので、当該把持部材が取手部から吊された取外し状態においても、鞄の意匠性を向上させることができる。
【００１４】
請求項４の考案によれば、把持部材は、その外表面に滑り止め加工が施されたので、取付け状態とされた把持部材を確実に把持して鞄を持ち運ぶことができる。
【００１５】
請求項５の考案によれば、取付部材は、一部が開閉可能な環状の金具から成り、その一部が開状態とされて鞄の取手部に取り付け可能とされたので、より容易且つ確実に把持部材を取外し状態とすることができる。
【００１６】
請求項６の考案によれば、取付部材は、可撓性を有した環状の紐状部材から成り、鞄の取手部に取り付け可能とされたので、当該取付部材を低コストにて製造することができる。
【図面の簡単な説明】
【００１７】
【図１】本考案の第１の実施形態に係る補助グリップを示す側面図及び正面図
【図２】同補助グリップ（スリットを開いた状態）を示す側面図及び正面図
【図３】同補助グリップにおける取付部材を開状態とした模式図
【図４】同補助グリップにおける把持部材を鞄の取手部から吊り下げた状態（把持部材が取付部材を介して鞄の取手部から吊下げられた取外し状態）を示す模式図
【図５】同補助グリップにおける把持部材を鞄の取手部に取付けた状態（鞄の取手部の外周に巻かれて取り付けられた取付け状態）を示す模式図
【図６】本考案の他の実施形態に係る補助グリップ（取付部材が２重構造のもの）を示す側面図及び正面図
【図７】本考案の他の実施形態に係る補助グリップ（取付部材がネジ式のもの）を示す側面図及び正面図
【図８】同取付部材を開状態とした模式図
【図９】本考案の他の実施形態に係る補助グリップ（取付部材が紐状部材から成るもの）を示す側面図及び正面図
【図１０】同取付部材を介して把持部材が取手部に取り付けられて当該取手部から吊下げられた取外し状態を示す模式図
【図１１】本考案の第２の実施形態に係る補助グリップを示す側面図及び正面図
【図１２】同補助グリップにおける把持部材を鞄の取手部から吊り下げた状態（把持部材が取付部材を介して鞄の取手部から吊下げられた取外し状態）を示す模式図
【図１３】同補助グリップにおける把持部材を鞄の取手部に取付けた状態（鞄の取手部に取り付けられた取付け状態）を示す模式図
【図１４】本考案の第３の実施形態に係る補助グリップを示す平面図及び正面図
【図１５】同補助グリップにおける把持部材を鞄の取手部から吊り下げた状態（把持部材が取付部材を介して鞄の取手部から吊下げられた取外し状態）を示す模式図
【図１６】同補助グリップにおける把持部材を鞄の取手部に取付けた状態（鞄の取手部に取り付けられた取付け状態）を示す模式図
【考案を実施するための形態】
【００１８】
以下、本考案の実施形態について図面を参照しながら具体的に説明する。
第１の実施形態に係る補助グリップは、把持部材が取付部材を介して鞄の取手部から吊下げられた状態と、鞄の取手部の外周に巻かれて取り付けられた状態との何れも可能とされたもので、図１〜５に示すように、把持し得るよう長手方向の寸法が設定された把持部材１と、円環状の金具から成る取付部材２とから主に構成されている。尚、適用される鞄Ｋは、図４、５に示すように、上方の開口から荷物を収容可能とされているとともに、左右一対のループ状（紐状）の取手部Ｋａが形成されている。
【００１９】
把持部材１は、ゴム又は樹脂等の軟質材料から成るとともに、一端（図１、２中左端）から他端（同図中右端）までスリット１ａが略直線状に形成された円筒状部材から成り、当該スリット１ａが図１の状態（閉状態）から図２の状態（開状態）とされ得るようになっている。尚、把持部材１は、ゴム又は樹脂等の軟質材料から成るので、所定の弾力を有しており、スリット１ａを開状態とした手の力を緩めれば、当該スリット１ａは自然と閉状態となる。
【００２０】
而して、スリット１ａの両側を手で開いて開状態とするとともに、その開状態のスリット１ａに鞄Ｋの取手部Ｋａ（図５参照）を挿通させれば、把持部材１が当該スリット１ａを介して鞄Ｋの取手部Ｋａの外周に巻かれて取付可能とされる。尚、把持部材１は、軟質材料であれば、ゴム又は樹脂に限定されず、鞄Ｋの取手部Ｋａの外周に巻かれて取付可能な他の如何なる軟質材料であってもよい。また、鞄Ｋの取手部Ｋａの外周に巻かれて取付可能であれば、断面形状が円とされた円筒状の他、断面形状が楕円や矩形状の筒状のものであってもよい。
【００２１】
取付部材２は、図４に示すように、把持部材１に固定されて当該把持部材１を鞄Ｋの取手部Ｋａに取り付けて吊下げ可能とするものである。より具体的には、本実施形態に係る取付部材２は、一部が開閉可能な環状の金具から成り、図３に示すように、その一部が開状態とされて鞄Ｋの取手部Ｋａに取り付け可能とされたものである。尚、取付部材２は、閉状態になる方向に所定の弾力を有しており、取付部材２を開状態とした手の力を緩めれば、当該取付部材２は自然と閉状態となる。
【００２２】
而して、通常状態（鞄Ｋに重い荷物を収容しない状態）においては、図４に示すように、取付部材２を介して把持部材１が取手部Ｋａに取り付けられ、吊下げられた状態（取外し状態）とすることができる一方、鞄Ｋに重い荷物を収容した状態においては、図５に示すように、把持部材１を取手部Ｋａの外周に巻かれて取り付けられた状態（取付け状態）とすることができる。尚、鞄Ｋから重い荷物を取り出した後、把持部材１を取手部Ｋａから取り外すことにより、図４で示す如き、再び取外し状態とすることができる。このように、取付部材２は、一部が開閉可能な環状の金具から成り、その一部が開状態とされて鞄Ｋの取手部Ｋａに取り付け可能とされたので、より容易且つ確実に把持部材１を取外し状態とすることができる。
【００２３】
ここで、本実施形態においては、把持部材１は、その外表面に所望の意匠が施されている。例えば、把持部材１の外周面に所望の塗布剤を塗布して所望のデザイン（文字や記号、或いは所定のキャラクタ等）を施したり、把持部材１の形状自体を所定の文字やキャラクタの形状として意匠性を向上させることができる。これにより、把持部材１が取手部Ｋａから吊された取外し状態（図４の状態）においても、鞄Ｋの意匠性を向上させることができる。
【００２４】
また、把持部材１の外表面に滑り止め加工が施されたものとするのが好ましく、例えば当該把持部材１の外周面にエンボス加工等を施すことができる。これにより、取付け状態とされた把持部材１を確実に把持して鞄Ｋを持ち運ぶことができる。尚、滑り止め加工が所望の意匠性を有するものとしてもよく、例えば所定の意匠の形状（意匠性を有するキャラクタや文字等）に沿ってエンボス加工を行わせたもの等が挙げられる。
【００２５】
上記実施形態によれば、把持部材１が取付部材２を介して鞄Ｋの取手部Ｋａから吊下げられた状態（図４の状態）と、鞄Ｋの取手部Ｋａの外周に巻かれて取り付けられた状態（図５の状態）との何れも可能な構造とされたので、鞄Ｋ内に軽量な荷物を収容する場合に取外し状態とする一方、鞄Ｋ内に重い荷物を収容する場合に取付け状態とすることにより、鞄Ｋの取手部Ｋａの意匠性を維持しつつ重量物を持ち運ぶ際に取手部Ｋａを把持する手に過度な負担が付与されてしまうのを抑制することができる。
【００２６】
次に、本考案に係る第２の実施形態の補助グリップについて説明する。
本実施形態に係る補助グリップは、第１の実施形態と同様、把持部材が取付部材を介して鞄の取手部から吊下げられた状態と、鞄の取手部の外周に巻かれて取り付けられた状態との何れも可能とされたもので、図１１〜１３に示すように、把持し得るよう長手方向の寸法が設定された把持部材７と、円環状の金具から成る取付部材８とから主に構成されている。尚、適用される鞄Ｋは、図１２、１３に示すように、上方の開口から荷物を収容可能とされているとともに、左右一対のループ状（紐状）の取手部Ｋａが形成されている。
【００２７】
把持部材７は、図１３に示すように、全体的に幅方向に湾曲して鞄の取手部Ｋａに取付可能なもので、金属製部材又は木製部材等の比較的硬質な材料で構成されている。かかる把持部材７は、その一端に挿通孔が形成されており、当該挿通孔に小径リング９を挿通させるとともに、その小径リング９に円環状の取付部材８が取り付けられている。かかる小径リング９は、樹脂材料又は金属製材料等で構成されたものが好ましい。
【００２８】
取付部材８は、第１の実施形態と同様、小径リング９を介して把持部材７に固定されて当該把持部材７を鞄Ｋの取手部Ｋａに取り付けて吊下げ可能とするものである。より具体的には、本実施形態に係る取付部材８は、一部が開閉可能な環状の金具から成り、図１２に示すように、その一部が開状態とされて鞄Ｋの取手部Ｋａに取り付け可能とされたものである。尚、取付部材８は、閉状態になる方向に所定の弾力を有しており、取付部材８を開状態とした手の力を緩めれば、当該取付部材８は自然と閉状態となる。更に、本実施形態においては、取付部材８に対し小径リング１０を介して車両や家屋等の鍵１１を取り付けた状態とされ、キーホルダの如き使用形態が可能とされている。
【００２９】
而して、通常状態（鞄Ｋに重い荷物を収容しない状態）においては、図１２に示すように、取付部材８を介して把持部材７が鍵１１と共に取手部Ｋａに取り付けられ、吊下げられた状態（取外し状態）とすることができる一方、鞄Ｋに重い荷物を収容した状態においては、図１３に示すように、把持部材７を取手部Ｋａの下方に当てがって取り付けられた状態（取付け状態）とすることができる。尚、鞄Ｋから重い荷物を取り出した後、把持部材７を取手部Ｋａから取り外すことにより、図１２で示す如き、再び取外し状態とすることができる。このように、取付部材８は、一部が開閉可能な環状の金具から成り、その一部が開状態とされて鞄Ｋの取手部Ｋａに取り付け可能とされたので、より容易且つ確実に把持部材７を取外し状態とすることができる。
【００３０】
本実施形態においても、第１の実施形態と同様、把持部材７は、その外表面に所望の意匠が施されているのが好ましい。例えば、把持部材７の表面に所望の塗布剤を塗布して所望のデザイン（文字や記号、或いは所定のキャラクタ等）を施したり、把持部材７の形状自体を所定の文字やキャラクタの形状として意匠性を向上させることができる。これにより、把持部材７が取手部Ｋａから吊された取外し状態（図１２の状態）においても、鞄Ｋの意匠性を向上させることができる。特に、本実施形態においては、キーホルダの如き機能と意匠性とを兼ね備えることができる。また、第１の実施形態と同様、把持部材７の外表面に滑り止め加工が施されたものとするのが好ましく、例えば当該把持部材７の外周面にエンボス加工等を施すことができる。
【００３１】
次に、本考案に係る第３の実施形態の補助グリップについて説明する。
本実施形態に係る補助グリップは、第１、２の実施形態と同様、把持部材が取付部材を介して鞄の取手部から吊下げられた状態と、鞄の取手部の外周に巻かれて取り付けられた状態との何れも可能とされたもので、図１４〜１６に示すように、把持し得るよう長手方向の寸法が設定された把持部材１２と、円環状の金具から成る取付部材１３とから主に構成されている。尚、適用される鞄Ｋは、図１５、１６に示すように、上方の開口から荷物を収容可能とされているとともに、左右一対のループ状（紐状）の取手部Ｋａが形成されている。
【００３２】
把持部材１２は、図１６に示すように、把持することで全体的に把持する手に倣って幅方向に湾曲し、鞄Ｋの取手部Ｋａに取付可能なもので、図１４に示すように、板状のゴム材で構成されている。尚、ゴム材に代えて、図１６の如く幅方向に湾曲し得る他の材料にて把持部材１２を構成してもよい。かかる把持部材１２には、凹部１２ａが形成されており、鞄Ｋの取手部Ｋａに取り付けた状態で当該凹部１２ａに取手部Ｋａが嵌り込んで位置ずれが防止可能とされている。
【００３３】
また、把持部材１２は、その一端に挿通孔が形成されており、当該挿通孔に取付部材１３が取り付けられている。かかる取付部材１３は、第１、２の実施形態と同様、把持部材７に固定されて当該把持部材７を鞄Ｋの取手部Ｋａに取り付けて吊下げ可能とするものである。より具体的には、本実施形態に係る取付部材１３は、一部が開閉可能な環状の金具から成り、図１５に示すように、その一部が開状態とされて鞄Ｋの取手部Ｋａに取り付け可能とされたものである。尚、取付部材１３は、閉状態になる方向に所定の弾力を有しており、取付部材１３を開状態とした手の力を緩めれば、当該取付部材１３は自然と閉状態となる。更に、第２の実施形態と同様、取付部材１３に対し小径リング等を介して車両や家屋等の鍵を取り付けた状態とし、キーホルダの如き使用形態としてもよい。
【００３４】
而して、通常状態（鞄Ｋに重い荷物を収容しない状態）においては、図１５に示すように、取付部材１３を介して把持部材１２が取手部Ｋａに取り付けられ、吊下げられた状態（取外し状態）とすることができる一方、鞄Ｋに重い荷物を収容した状態においては、図１６に示すように、把持部材１２を取手部Ｋａの下方に当てがって取り付けられた状態（取付け状態）とすることができる。尚、鞄Ｋから重い荷物を取り出した後、把持部材１２を取手部Ｋａから取り外すことにより、図１５で示す如き、再び取外し状態とすることができる。このように、取付部材１３は、一部が開閉可能な環状の金具から成り、その一部が開状態とされて鞄Ｋの取手部Ｋａに取り付け可能とされたので、より容易且つ確実に把持部材１２を取外し状態とすることができる。
【００３５】
本実施形態においても、第１、２の実施形態と同様、把持部材１２は、その外表面に所望の意匠が施されているのが好ましい。例えば、把持部材１２の表面に所望の塗布剤を塗布して所望のデザイン（文字や記号、或いは所定のキャラクタ等）を施したり、把持部材１２の形状自体を所定の文字やキャラクタの形状として意匠性を向上させることができる。これにより、把持部材１２が取手部Ｋａから吊された取外し状態（図１５の状態）においても、鞄Ｋの意匠性を向上させることができる。また、第１、２の実施形態と同様、把持部材１２の外表面に滑り止め加工が施されたものとするのが好ましく、例えば当該把持部材１２の外周面にエンボス加工等を施すことができる。
【００３６】
以上、本実施形態について説明したが、本考案はこれに限定されるものではなく、例えば図６に示すように、把持部材１に固定された小径の円環状部材３（金具や樹脂等から成る部品）を介して取付部材２が取り付けられた２重構造の取付部材としてもよく、或いは図７、８に示すように、閉止部材５をネジ４ａに螺合することにより一部を閉状態とし得る取付部材４としてもよい。尚、図７は取付部材４の閉状態を示しており、図８は取付部材４の開状態を示している。
【００３７】
更に、金属製の取付部材に代えて、図９に示すように、可撓性を有した環状の紐状部材から成る取付部材６とし、図１０に示すように、当該取付部材６を介して把持部材１が鞄Ｋの取手部Ｋａに取り付け可能とされたものであってもよい。かかる紐状部材から成る取付部材６は、可撓性を有するものであれば、布や輪ゴム等であってもよく、これにより、当該取付部材６を低コストにて製造することができる。
【産業上の利用可能性】
【００３８】
把持部材が取付部材を介して鞄の取手部から吊下げられた取外し状態と、鞄の取手部に取り付けられた取付け状態との何れも可能な構造とされた補助グリップであれば、外観形状が異なるもの或いは他の機能が付加されたもの等にも適用できる。
【符号の説明】
【００３９】
１  把持部材
１ａ  スリット
２  取付部材
３  小径の円環状部材
４  取付部材
５  閉止部材
６  取付部材
７  把持部材
８  取付部材
９、１０  小径リング
１１  鍵
１２  把持部材
１３  取付部材
Ｋ  鞄
Ｋａ  取手部
【図１】
0003155857.tif 000003
【図２】
0003155857.tif 000004
【図３】
0003155857.tif 000005
【図４】
0003155857.tif 000006
【図５】
0003155857.tif 000007
【図６】
0003155857.tif 000008
【図７】
0003155857.tif 000009
【図８】
0003155857.tif 000010
【図９】
0003155857.tif 000011
【図１０】
0003155857.tif 000012
【図１１】
0003155857.tif 000013
【図１２】
0003155857.tif 000014
【図１３】
0003155857.tif 000015
【図１４】
0003155857.tif 000016
【図１５】
0003155857.tif 000017
【図１６】
0003155857.tif 000018